(57)【特許請求の範囲】
【請求項１】
記事テキストデータの入力及び校正作業を行う記事入力／校正端末器と、
前記記事入力／校正端末器から送られてくる記事テキストデータを格納する記事サーバと、
画像データの入力及び加工作業を行う画像入力／加工端末器と、
前記画像入力／加工端末器から送られてくる画像データを格納する画像サーバと、
前記記事サーバ及び前記画像サーバにそれぞれ格納されている記事テキストデータ及び画像データを用いてレイアウト処理を行う組版端末器と、
前記組版端末器のレイアウト処理により作成された組版ファイルデータを格納する組版サーバと、
を備え、これら各端末器及び各サーバがネットワークに接続されている新聞制作システムにおいて、
前記組版サーバは、
各紙面出力が完了しているか否かを示す紙面出力完了フラグデータ、並びに記事要素、画像要素、及び小組要素の各要素毎に紙面への配置が済んでいるか否かを示す配置状態データを含む紙面ファイルと、
紙面出力が完了していない紙面内の未掲載要素についての振替元紙面と振替先紙面との対応関係が記載された朝刊面／夕刊面相互関連テーブルと、
前記紙面出力完了フラグデータのチェックに基づき紙面出力が完了していない紙面を検出した場合に、その紙面の未掲載要素の振替先紙面を前記朝刊面／夕刊面相互関連テーブルを参照して決定し、その決定した紙面に対して未掲載要素を振り替える未掲載要素振替処理手段と、
を有するものであることを特徴とする新聞制作システム。
【請求項２】
前記紙面ファイルには、前記未掲載要素振替処理手段の処理によって振り替えられたものであることを示す振替フラグデータが各要素毎に含まれている、
ことを特徴とする請求項１記載の新聞制作システム。
【発明の詳細な説明】
【０００１】
【発明の属する技術分野】
本発明は新聞制作システムに係り、より詳しくは、新聞制作システムの未掲載要素振替処理の技術に関するものである。
【０００２】
【従来の技術】
図１１は、従来の新聞制作システムの構成例を示すブロック図である。この図において、ネットワーク１に記事入力／校正端末器２、画像入力／加工端末器３、組版端末器４、大刷プリンタ５、及び版下プリンタ６等の各種端末器及びプリンタが接続されており、また、記事サーバ７、画像サーバ８、及び組版サーバ９等の各種サーバが接続されている。
【０００３】
記事入力／校正端末器２は、オペレータの入力操作により記事テキストデータの入力や、入力した記事に対する校正作業を行うためのものである。画像入力／加工端末器３は、新聞紙面に載せる写真についての画像入力や、入力した画像に対する加工処理を行うためのものである。組版端末器４は、オペレータの操作によって新聞紙面に載せる記事や画像等についてのレイアウト処理を行うためのものである。なお、この組版端末器４も記事入力／校正端末器２と同様の校正機能を有している。
【０００４】
記事サーバ７は、記事入力／校正端末器２からの記事テキストデータや、ネットワーク１を介して外部から送られてくる記事テキストデータを蓄積する。記事サーバ７に蓄積されたデータは、オペレータの指示によって組版サーバ９に送信することが可能であるが、この記事サーバ７は自動送信機能を有しており、この自動送信機能によっても蓄積データを組版サーバ９に送信することが可能である。
【０００５】
同様に、画像サーバ８は、画像入力／加工端末器３からの画像データや、ネットワーク１を介して外部から送られてくる画像データを蓄積し、この蓄積データをオペレータの指示又は自動送信機能に基づいて組版サーバ９に送信することが可能になっている。
【０００６】
組版サーバ９は、記事サーバ７及び画像サーバ８からのデータを蓄積し、組版端末器４を介したオペレータからの要求に応答してこの蓄積データを組版端末器４に送信するようになっている。組版端末器４では、組版サーバ９から送られてくるデータを用いてレイアウト処理が行われるが、このレイアウト処理の結果も組版サーバ９に蓄積されるようになっている。
【０００７】
組版サーバ９に蓄積されたデータは、また、組版端末器４からの大刷／版下指示により紙面出力サーバ１０に送られるようになっている。そして、紙面出力サーバ１０は、組版サーバ９からの組版データを編集してこれらをドットデータに展開する。大刷プリンタ５及び版下プリンタ６は、この展開されたドットデータを用いて大刷や版下を出力する。なお、版下出力時は、組版端末器４からの指定に基づき、例えば、Ｃ版、Ｍ版、Ｙ版、Ｋ版等の色版の出力やモノクロ版のみの出力、あるいはＣ版、Ｍ版、Ｙ版、Ｋ版及びモノクロ版の同時出力を行えるようになっている。
【０００８】
【発明が解決しようとする課題】
ところで、新聞紙面の作成上、大きな事件が発生したり報道上外すことができない重要事件が多くある場合等は、それまで掲載予定とされていた特集物（小組が多い）の記事や比較的重要度の低い事件についての記事等の掲載を取り止めて、これらの大事件あるいは重要事件についての記事が該当紙面に掲載されることがある（なお、この場合の「記事」は、広義の意であり、狭義の「記事」（テキストデータ）、画像、及び小組等を含むものである。本明細書では、この狭義の「記事」、画像、及び小組等を適宜「要素」と呼ぶことがある。）。
【０００９】
そして、この場合、該当紙面に掲載されなかった記事は、通常は次に発行される新聞の紙面に掲載されることになる。例えば、朝刊の１面に掲載されなかった記事は当日の夕刊の１面に掲載され、また、夕刊の１面に掲載されなかった記事は翌日の朝刊の１面に掲載されることになる。
【００１０】
そして、オペレータは、組版端末器４を操作して、次に発行される新聞紙面を作成する際に該当紙面に掲載されなかった記事を振り替える作業を行う。このようなオペレータの振替作業は毎回の新聞発行毎に行われるルーチン作業ではあるけれども、準備作業も含めるとその作業時間はかなり長いものとなっており、オペレータに少なからず労力の負担を強いる結果となっている。
【００１１】
本発明は上記事情に鑑みてなされたものであり、紙面の未掲載要素を朝刊面と夕刊面との間で振り替える作業を自動的に行えるようにし、もってオペレータの労力の負担を軽減することが可能な新聞制作システムを提供することを目的としている。
【００１２】
【課題を解決するための手段】
上記課題を解決するための手段として請求項１記載の発明は、記事テキストデータの入力及び校正作業を行う記事入力／校正端末器と、前記記事入力／校正端末器から送られてくる記事テキストデータを格納する記事サーバと、画像データの入力及び加工作業を行う画像入力／加工端末器と、前記画像入力／加工端末器から送られてくる画像データを格納する画像サーバと、前記記事サーバ及び前記画像サーバにそれぞれ格納されている記事テキストデータ及び画像データを用いてレイアウト処理を行う組版端末器と、前記組版端末器のレイアウト処理により作成された組版ファイルデータを格納する組版サーバと、を備え、これら各端末器及び各サーバがネットワークに接続されている新聞制作システムにおいて、前記組版サーバは、各紙面出力が完了しているか否かを示す紙面出力完了フラグデータ、並びに記事要素、画像要素、及び小組要素の各要素毎に紙面への配置が済んでいるか否かを示す配置状態データを含む紙面ファイルと、紙面出力が完了していない紙面内の未掲載要素についての振替元紙面と振替先紙面との対応関係が記載された朝刊面／夕刊面相互関連テーブルと、前記紙面出力完了フラグデータのチェックに基づき紙面出力が完了していない紙面を検出した場合に、その紙面の未掲載要素の振替先紙面を前記朝刊面／夕刊面相互関連テーブルを参照して決定し、その決定した紙面に対して未掲載要素を振り替える未掲載要素振替処理手段と、を有するものであることを特徴とする。
【００１３】
請求項２記載の発明は、請求項１記載の発明において、前記紙面ファイルには、前記未掲載要素振替処理手段の処理によって振り替えられたものであることを示す振替フラグデータが各要素毎に含まれている、ことを特徴とする。
【００１４】
【発明の実施の形態】
図１は、本発明の実施形態の要部構成を示すブロック図である。この図において、ネットワーク１に組版サーバ９が接続されている。なお、図１１において示した他のサーバ、各端末器、及び各プリンタの図示は省略してある。そして、この組版サーバ９は、未掲載要素振替処理手段１１、紙面ファイル１２、朝刊面／夕刊面相互関連テーブル１３、及び紙面定義テーブル１４を有している。
【００１５】
紙面ファイル１２は、紙面を構成する各要素についての情報が格納されているファイルである。図２乃至図６は、この紙面ファイル１２に格納される各要素情報の構成を示す説明図である。なお、これらの図における、Ｐ−１−０−１，…Ｐ−ｔ−０−１０，…等の符号は以下の説明の便宜上付したものである。また、図７は、紙面ファイル１２に格納される各要素のうち記事テキストデータ及び画像データの配置構成例を示したブロック図である。
【００１６】
朝刊面／夕刊面相互関連テーブル１３は、朝刊面と夕刊面との間で未掲載要素の振替を行う場合の各紙面同士の対応関係を示したテーブルである。図８は、この朝刊面／夕刊面相互関連テーブル１３の構成例を示す説明図である。この図における、Ｔ−０，Ｔ−１−１，…，Ｔ−（ｉ＋３）−２，…等の符号は以下の説明の便宜上付したものである。
【００１７】
この図８に示したように、振替元面名Ｔ−１−１と振替先面名Ｔ−１−２、振替元面名Ｔ−２−１と振替先面名Ｔ−２−２、…等はそれぞれ対をなし同一のレコード＃１，＃２に記載されている。図８のテーブルでは、朝刊及び夕刊の各紙面が振替元及び振替先の双方に記載されているため登録件数が多いものとなっているが、振替元面と振替先面とを交換した場合も両者は対の関係になることを利用し、逆サーチ機能を付加することによってテーブルへの登録件数を半分に減らすことができる。図９は、このように登録件数を半減させたテーブルの構成例である。図９において、例えば、朝刊１面と夕刊１面とは対の関係にあるので、振替処理を行う際は振替元の欄（ｆｒｏｍ）又は振替先の欄（ｔｏ）のいずれかをサーチするだけでよい。
【００１８】
紙面定義テーブル１４は、従来から用いられているテーブルであり、その構成例の図示は省略する。この紙面定義テーブル１４は、紙面に対して、体裁（文字サイズ、字詰、段数、段間、行数、行間等）、版構成、朝刊／夕刊区分などを定義しておくためのテーブルである。
【００１９】
図１０は、未掲載要素振替処理手段１１の振替処理動作を説明するためのフローチャートである。未掲載要素振替処理手段１１は、朝刊又は夕刊の全紙面についての紙面作成作業が終了した時点で起動し、紙面ファイル１２内の全ての面＃１，面＃２，面＃３，…，面＃Ｎに対する処理動作を行うようになっている。
【００２０】
未掲載要素振替処理手段１１は、まず、紙面ファイル１２から順次データを入力し（ステップ１）、該当紙面の出力が完了しているか否かを判別する（ステップ２）。例えば、面＃１の紙面出力が完了しているか否かについての判別は、図２に示した紙面出力完了フラグ（Ｐ−１−０−１０）の検出に基づき行う。
【００２１】
ステップ２で、面＃１の紙面出力が完了していないことを判別した場合、未掲載要素振替処理手段１１は、この面＃１に対する振替先を探す（ステップ３）。
【００２２】
すなわち、未掲載要素振替処理手段１１は、面名（Ｐ−１−０−２）を読み出し、図８に示した朝刊面／夕刊面相互関連テーブル１３からこの読み出した面名と一致する振替元面名を探し出す。いま、例えば、振替元面名（Ｔ−１−１）が一致したとすると、未掲載要素振替処理手段１１は、振替元面名（Ｔ−１−１）と、これに対応する振替先面名（Ｔ−１−２）が朝刊又は夕刊のいずれであるかを紙面定義テーブル１４で定義されている朝刊／夕刊区分から調べる。なお、この場合、図８の各欄には〔朝刊１面〕、〔夕刊１面〕等が記載されているので、これだけで朝刊又は夕刊の区別ができるように思えるが、実際には〔多摩１面〕、〔横浜１面〕などのように記載されており面名の文字列からだけでは朝刊又は夕刊のいずれであるかを識別できないことが多い。したがって、紙面定義テーブル１４の朝刊／夕刊区分のデータを参照することが必要になる。また、振替元面名に対応する振替先面名が指定されていない場合（Ｔ−（ｉ＋３）−２）は、未掲載要素振替処理手段１１による自動振替処理は行われず、オペレータが自ら振替処理を行うことになる（但し、この場合においても自動振替処理を行うように設定することは可能である。）。
【００２３】
また、未掲載要素振替処理手段１１は、振替先面名の掲載年月日を設定する。この掲載年月日の設定は例えば次のような規則に基づき行われる。
【００２４】
〈１〉振替元面が夕刊面で振替先面が朝刊面の場合：
振替先掲載年月日＝振替元掲載年月日の翌日
〈２〉振替元面が夕刊面で振替先面が夕刊面の場合：
振替先掲載年月日＝振替元掲載年月日の翌日
〈３〉振替元面が朝刊面で振替先面が朝刊面の場合：
振替先掲載年月日＝振替元掲載年月日の翌日
〈４〉振替元面が朝刊面で振替先面が夕刊面の場合：
振替先掲載年月日＝振替元掲載年月日
未掲載要素振替処理手段１１は、上記のようにして特定した面名、及び振替先掲載年月日に基づき紙面ファイル１２内の該当紙面を探し出す。以下の、説明ではこの探し出した紙面が面＃ｔである場合を例に取り説明する。
【００２５】
未掲載要素振替処理手段１１は、次いで、振替元紙面に未配置の要素が有るか否かををを判別し（ステップ４）、有ると判別した場合それはどのような種類の要素であるかを判別する（ステップ５）。ここで、面＃１の記事Ａを例に取ると、ステップ４での判別は配置状態データ（Ｐ−１−１−４）に基づき行うことができ、また、ステップ５での判別は要素種別データ（Ｐ−１−１−２）に基づき行うことができる。なお、朝刊／夕刊間自動振替フラグ（Ｐ−１−１−１）は、未掲載要素振替処理手段１１による自動振替処理が行われたか否かを示すデータ、要素ＩＤ（Ｐ−１−１−３）は記事Ａであることを識別するためのデータである。面＃１の記事Ａの要素情報としては、符号Ｐ−１−１−５〜８等に示すようにその他種々のデータが含まれている。
【００２６】
さて、ステップ３〜５の処理の結果、例えば、振替元が面＃１の記事Ｂであり、振替先が面＃ｔの要素＃１の空きレコードであったとする。この場合、未掲載要素振替処理手段１１は、面＃１の記事Ｂの要素情報につき次のようにコピー又は設定を行う（ステップ６）（なお、面＃ｔの要素＃１は図６に示してあるが、要素＃１の詳細な構成は、面＃１の記事Ａ，Ｂ，…等と同様であるため図示を省略してある。）。
【００２７】
〔振替元：面＃１の記事Ｂ、振替先：面＃ｔの要素＃１〕の場合
（１）面＃１内の記事Ｂの要素種別データ（Ｐ−１−２−２）を、面＃ｔ内の要素＃１における記事Ｂの要素種別データ（Ｐ−ｔ−１−２）としてコピーする。
【００２８】
（２）面＃１内の記事Ｂの要素ＩＤデータ（Ｐ−１−２−３）を、面＃ｔ内の要素＃１における記事Ｂの要素ＩＤデータ（Ｐ−ｔ−１−３）としてコピーする。
【００２９】
（３）面＃１内の記事Ｂの配置状態データ（Ｐ−１−２−４）を、面＃ｔ内の要素＃１における記事Ｂの配置状態データ（Ｐ−ｔ−１−４）としてコピーする。
【００３０】
（４）面＃ｔ内の要素＃１に「記事のテキストの格納ディレクトリ／ファイル名」（Ｐ−ｔ−１−５）を設定する。
【００３１】
（５）面＃１内の記事Ｂの「記事のテキストのバイトサイズ」（Ｐ−１−２−６）を、面＃ｔ内の要素＃１における記事Ｂの「記事のテキストのバイトサイズ」（Ｐ−ｔ−１−６）としてコピーする。
【００３２】
（６）図７に示した面＃１の記事Ｂのテキスト（Ｐ−１−２−ＴＸ）を、面＃ｔ内の要素＃１における記事Ｂの（Ｐ−ｔ−１−ＴＸ）としてコピーする。
【００３３】
（７）面＃ｔ内の要素＃１に朝刊／夕刊間自動振替フラグ（Ｐ−ｔ−１−１）を設け、「自動振替有り」に設定しておく。
【００３４】
（８）その他のデータ項目を設定する。
【００３５】
同様に、ステップ３〜５の処理の結果、例えば、振替元が面＃１の画像Ｃであり、振替先が面＃ｔの要素＃２の空きレコードであったとする。この場合、未掲載要素振替処理手段１１は、面＃１の画像Ｃの要素情報につき次のようにコピー又は設定を行う（ステップ７）。
【００３６】
〔振替元：面＃１の画像Ｃ、振替先：面＃ｔの要素＃２〕の場合
（１）面＃１内の画像Ｃの要素種別データ（Ｐ−１−３−２）を、面＃ｔ内の要素＃２における画像Ｃの要素種別データ（Ｐ−ｔ−２−２）としてコピーする。
【００３７】
（２）面＃１内の画像Ｃの要素ＩＤデータ（Ｐ−１−３−３）を、面＃ｔ内の要素＃２における画像Ｃの要素ＩＤデータ（Ｐ−ｔ−２−３）としてコピーする。
【００３８】
（３）面＃１内の画像Ｃの配置状態データ（Ｐ−１−３−４）を、面＃ｔ内の要素＃２における画像Ｃの配置状態データ（Ｐ−ｔ−２−４）としてコピーする。
【００３９】
（４）面＃ｔ内の要素＃２に「画像データの格納ディレクトリ／ファイル名」（Ｐ−ｔ−２−５）を設定する。
【００４０】
（５）面＃１内の画像Ｃの「画像データのバイトサイズ」（Ｐ−１−３−６）を、面＃ｔ内の要素＃２における画像Ｃの「画像データのバイトサイズ」（Ｐ−ｔ−２−６）としてコピーする。
【００４１】
（６）図７に示した面＃１の画像Ｃの画像データ（Ｐ−１−３−ＩＭ）を、面＃ｔ内の要素＃２における画像Ｃの画像データ（Ｐ−ｔ−２−ＩＭ）としてコピーする。
【００４２】
（７）面＃ｔ内の要素＃２に朝刊／夕刊間自動振替フラグ（Ｐ−ｔ−２−１）を設け、「自動振替有り」に設定しておく。
【００４３】
（８）その他のデータ項目を設定する。
【００４４】
また、ステップ３〜５の処理の結果、例えば、振替元が面＃１の小組Ｋであり、振替先が面＃ｔの要素＃３の空きレコードであったとする。この場合、未掲載要素振替処理手段１１は、面＃１の小組Ｋの要素情報につき次のようにコピー又は設定を行う（ステップ８）。なお、この例では、小組Ｋが記事Ｇ、画像Ｉ、及び記事Ｊにより構成されている場合につき説明する。
【００４５】
〔振替元：面＃１の小組Ｋ、振替先：面＃ｔの要素＃３〕の場合
（１）面＃１内の小組Ｋの要素種別データ（Ｐ−１−１１−２）を、面＃ｔ内の要素＃３における小組Ｋの要素種別データ（Ｐ−ｔ−３−２）としてコピーする。
【００４６】
（２）面＃１内の小組Ｋの要素ＩＤデータ（Ｐ−１−１１−３）を、面＃ｔ内の要素＃３における小組Ｋの要素ＩＤデータ（Ｐ−ｔ−３−３）としてコピーする。
【００４７】
（３）面＃１内の小組Ｋの配置状態データ（Ｐ−１−１１−４）を、面＃ｔ内の要素＃３における小組Ｋの配置状態データ（Ｐ−ｔ−３−４）としてコピーする。
【００４８】
（４）面＃ｔ内の要素＃３に朝刊／夕刊間自動振替フラグ（Ｐ−ｔ−３−１）を設け、「自動振替有り」に設定しておく。
【００４９】
（５）面＃１の小組Ｋ内の要素リスト登録件数（Ｐ−１−１１−Ｌ−０）（この場合は３件とする）を、面＃ｔ内の要素＃３における小組Ｋ内の要素リスト登録件数（Ｐ−ｔ−３−Ｌ−０）としてコピーする。
【００５０】
（６）小組Ｋ内の記事Ｇの要素ＩＤ（Ｐ−１−１１−Ｌ−１）を、面＃ｔ内の要素＃３における小組Ｋ内の記事Ｇの要素ＩＤ（Ｐ−ｔ−３−Ｌ−１）としてコピーする。
【００５１】
（７）小組Ｋ内の画像Ｉの要素ＩＤ（Ｐ−１−１１−Ｌ−２）を、面＃ｔ内の要素＃３における小組Ｋ内の画像Ｉの要素ＩＤ（Ｐ−ｔ−３−Ｌ−２）としてコピーする。
【００５２】
（８）小組Ｋ内の記事Ｊの要素ＩＤ（Ｐ−１−１１−Ｌ−３）を、面＃ｔ内の要素＃３における小組Ｋ内の記事Ｊの要素ＩＤ（Ｐ−ｔ−３−Ｌ−３）としてコピーする。
【００５３】
（９）その他のデータ項目を設定する。
【００５４】
（１０）記事Ｇの各要素情報のコピーを行う。この場合、振替先が面＃ｔ内の要素＃４の空きレコードであるとする。
【００５５】
（１０−１）面＃１内の記事Ｇの要素種別データ（Ｐ−１−７−２）を、面＃ｔ内の要素＃４における記事Ｇの要素種別データ（Ｐ−ｔ−４−２）としてコピーする。
【００５６】
（１０−２）面＃１内の記事Ｇの要素ＩＤデータ（Ｐ−１−７−３）を、面＃ｔ内の要素＃４における記事Ｇの要素ＩＤデータ（Ｐ−ｔ−４−３）としてコピーする。
【００５７】
（１０−３）面＃１内の記事Ｇの配置状態データ（Ｐ−１−７−４）を、面＃ｔ内の要素＃４における記事Ｇの配置状態データ（Ｐ−ｔ−４−４）としてコピーする。
【００５８】
（１０−４）面＃ｔ内の要素＃４に「記事のテキストの格納ディレクトリ／ファイル名」（Ｐ−ｔ−４−５）を設定する。
【００５９】
（１０−５）面＃１内の記事Ｇの「記事のテキストのバイトサイズ」（Ｐ−１−７−６）を、面＃ｔ内の要素＃４における記事Ｇの「記事のテキストのバイトサイズ」（Ｐ−ｔ−４−６）としてコピーする。
【００６０】
（１０−６）図７に示した面＃１の記事Ｇのテキスト（Ｐ−１−７−ＴＸ）を、面＃ｔ内の要素＃４における記事Ｇの（Ｐ−ｔ−４−ＴＸ）としてコピーする。
【００６１】
（１０−７）面＃ｔ内の要素＃４に朝刊／夕刊間自動振替フラグ（Ｐ−ｔ−４−１）を設け、「自動振替有り」に設定しておく。
【００６２】
（１０−８）その他のデータ項目を設定する。
【００６３】
（１１）画像Ｉの各要素情報のコピーを行う。この場合、振替先が面＃ｔ内の要素＃５の空きレコードであるとする。
【００６４】
（１１−１）面＃１内の画像Ｉの要素種別データ（Ｐ−１−９−２）を、面＃ｔ内の要素＃５における画像Ｉの要素種別データ（Ｐ−ｔ−５−２）としてコピーする。
【００６５】
（１１−２）面＃１内の画像Ｉの要素ＩＤデータ（Ｐ−１−９−３）を、面＃ｔ内の要素＃５における画像Ｉの要素ＩＤデータ（Ｐ−ｔ−５−３）としてコピーする。
【００６６】
（１１−３）面＃１内の画像Ｉの配置状態データ（Ｐ−１−９−４）を、面＃ｔ内の要素＃５における画像Ｉの配置状態データ（Ｐ−ｔ−５−４）としてコピーする。
【００６７】
（１１−４）面＃ｔ内の要素＃５に「画像データの格納ディレクトリ／ファイル名」（Ｐ−ｔ−５−５）を設定する。
【００６８】
（１１−５）面＃１内の画像Ｉの「画像データのバイトサイズ」（Ｐ−１−９−６）を、面＃ｔ内の要素＃５における画像Ｉの「画像データのバイトサイズ」（Ｐ−ｔ−５−６）としてコピーする。
【００６９】
（１１−６）図７に示した面＃１の画像Ｉの画像データ（Ｐ−１−９−ＩＭ）を、面＃ｔ内の要素＃５における画像Ｉの画像データ（Ｐ−ｔ−５−ＩＭ）としてコピーする。
【００７０】
（１１−７）面＃ｔ内の要素＃５に朝刊／夕刊間自動振替フラグ（Ｐ−ｔ−５−１）を設け、「自動振替有り」に設定しておく。
【００７１】
（１１−８）その他のデータ項目を設定する。
【００７２】
（１２）記事Ｊの各要素情報のコピーを行う。この場合、振替先が面＃ｔ内の要素＃６の空きレコードであるとする。
【００７３】
（１２−１）面＃１内の記事Ｊの要素種別データ（Ｐ−１−１０−２）を、面＃ｔ内の要素＃６における記事Ｊの要素種別データ（Ｐ−ｔ−６−２）としてコピーする。
【００７４】
（１２−２）面＃１内の記事Ｊの要素ＩＤデータ（Ｐ−１−１０−３）を、面＃ｔ内の要素＃６における記事Ｊの要素ＩＤデータ（Ｐ−ｔ−６−３）としてコピーする。
【００７５】
（１２−３）面＃１内の記事Ｊの配置状態データ（Ｐ−１−１０−４）を、面＃ｔ内の要素＃６における記事Ｊの配置状態データ（Ｐ−ｔ−６−４）としてコピーする。
【００７６】
（１２−４）面＃ｔ内の要素＃６に「記事のテキストの格納ディレクトリ／ファイル名」（Ｐ−ｔ−６−５）を設定する。
【００７７】
（１２−５）面＃１内の記事Ｊの「記事のテキストのバイトサイズ」（Ｐ−１−１０−６）を、面＃ｔ内の要素＃６における記事Ｊの「記事のテキストのバイトサイズ」（Ｐ−ｔ−６−６）としてコピーする。
【００７８】
（１２−６）図７に示した面＃１の記事Ｊのテキスト（Ｐ−１−１０−ＴＸ）を、面＃ｔ内の要素＃６における記事Ｊの（Ｐ−ｔ−６−ＴＸ）としてコピーする。
【００７９】
（１２−７）面＃ｔ内の要素＃６に朝刊／夕刊間自動振替フラグ（Ｐ−ｔ−６−１）を設け、「自動振替有り」に設定しておく。
【００８０】
（１２−８）その他のデータ項目を設定する。
【００８１】
さて、未掲載要素振替処理手段１１は、ステップ６〜８のいずれかの処理を行った後、該当紙面すなわち面＃１の全要素の処理が終了したか否かを判別する（ステップ９）。なお、ステップ２の判別結果が「ＹＥＳ」の場合、及びステップ４の判別結果が「ＮＯ」の場合は直ちにステップ９の判別を行う。
【００８２】
未掲載要素振替処理手段１１は、ステップ９の判別結果が「ＮＯ」の場合は、ステップ４に戻って再度ステップ４〜８の処理を行う。また、ステップ９の判別結果が「ＹＥＳ」の場合は、全紙面すなわち面＃１…面＃ｔ…の処理が終了しているか否かを判別し（ステップ１０）、終了していなければステップ１に戻り、終了していれば全ての処理動作を終了する。
【００８３】
上記した本発明の新聞制作システムによれば、オペレータが紙面作成作業を終了した後は、組版サーバの未掲載要素振替処理機能によって、該当紙面に掲載されなかった要素の振替先が自動的に割り当てられ、その振替先に自動的に未掲載要素がコピーされることになる。したがって、従来、オペレータが手作業により行っていた未掲載要素の振替作業を自動化することが可能になり、オペレータの労力を大きく軽減することができる。
【００８４】
そして、上記実施形態では、紙面ファイルのデータ中に朝刊／夕刊間自動振替フラグが含まれているので、オペレータが次の新聞紙面の作成時に、どの要素が自動振替処理によって振り替えられてきたものであるのかを容易に知ることができ、レイアウト処理等の紙面作成作業を容易に行うことが可能になる。また、この場合、自動振替処理によって振り替えられてきた要素については、他の要素とは異なる色でディスプレイに表示したり、あるいは特別な記号等を付するようにしてオペレータの注意を喚起する構成とすることにより、紙面作成作業の容易化を一層図ることができる。
【００８５】
【発明の効果】
以上のように、本発明によれば、組版サーバの未掲載要素振替処理手段が紙面ファイルの各データを入力し、朝刊面／夕刊面相互関連テーブルを参照しながら、紙面出力が完了していない紙面の未掲載要素を振替先紙面に振り替える処理を行うようになっているので、従来、オペレータが手作業により行っていた未掲載要素の振替作業を自動化することが可能になり、オペレータの労力を大きく軽減することができる。
【図面の簡単な説明】
【図１】本発明の実施形態の要部構成を示すブロック図。
【図２】図１における紙面ファイル１２に格納される各要素情報の構成を示す説明図。
【図３】図１における紙面ファイル１２に格納される各要素情報の構成を示す説明図。
【図４】図１における紙面ファイル１２に格納される各要素情報の構成を示す説明図。
【図５】図１における紙面ファイル１２に格納される各要素情報の構成を示す説明図。
【図６】図１における紙面ファイル１２に格納される各要素情報の構成を示す説明図。
【図７】図１における紙面ファイル１２に格納される各要素のうち記事テキストデータ及び画像データの配置構成例を示したブロック図。
【図８】図１における朝刊面／夕刊面相互関連テーブル１３の構成例を示す説明図。
【図９】テーブルへの登録件数を図８の場合よりも半減させた朝刊面／夕刊面相互関連テーブル１３の構成例を示す説明図。
【図１０】図１における未掲載要素振替処理手段１１の振替処理動作を説明するためのフローチャート。
【図１１】従来の新聞制作システムの構成例を示すブロック図。
【符号の説明】
１  ネットワーク
２  記事入力／校正端末器
３  画像入力／加工端末器
４  組版端末器
５  大刷プリンタ
６  版下プリンタ
７  記事サーバ
８  画像サーバ
９  組版サーバ
１０  紙面出力サーバ
１１  未掲載要素振替処理手段
１２  紙面ファイル
１３  朝刊面／夕刊面相互関連テーブル
１４  紙面定義テーブル
【図１】
0003558570.tif 000002
【図２】
0003558570.tif 000003
【図３】
0003558570.tif 000004
【図４】
0003558570.tif 000005
【図５】
0003558570.tif 000006
【図６】
0003558570.tif 000007
【図７】
0003558570.tif 000008
【図８】
0003558570.tif 000009
【図９】
0003558570.tif 000010
【図１０】
0003558570.tif 000011
【図１１】
0003558570.tif 000012